(57)【特許請求の範囲】
【請求項１】
中間部にデッキプレートの谷部に相当する間隔で並列する複数個の鉄筋受架部を備えていて、デッキプレート上に谷部と直交する方向に設置して使用する合成スラブ谷部配筋用バー型スペーサーに於いて、スペーサー本体は、下方へ延出する少なくとも１本の係止杆部を備え、該係止杆部の下端の鉤部は、デッキプレートの谷部の底部又はその近傍に長手方向に延長するように形成されているリブ又はジョイント部のオーバーハング部に対し鉛直方向からの押し込みで保有弾性に抗し強制的に係止可能であり、両端部にデッキプレートの山部に対する係止部を備え、該係止部のフリー端側に、鉄筋受架部の下端と同レベルの位置で谷部の幅の１／２〜１の範囲の長さで外方へ延出する水平張り出し部を備えていることを特徴とする合成スラブ谷部配筋用スペーサー。
【請求項２】
両端部にデッキプレートの山部に対する係止部をまた中間部にデッキプレートの谷部に相当する間隔で並列する複数個の鉄筋受架部をそれぞれ備えていて、デッキプレート上に谷部と直交する方向に設置して使用する合成スラブ谷部配筋用バー型スペーサーに於いて、スペーサー本体は、下方へ延出する少なくとも１本の係止杆部を備え、該係止杆部の下端の鉤部は、デッキプレートの谷部の底部又はその近傍に長手方向に延長するように形成されているリブ又はジョイント部のオーバーハング部に対し鉛直方向からの押し込みで保有弾性に抗し強制的に係止可能であり、前記係止部のフリー端側に、鉄筋受架部の下端と同レベルの位置で谷部の幅の１／２〜１の範囲の長さで外方へ延出する水平張り出し部を備えていることを特徴とする合成スラブ谷部配筋用スペーサー。
【請求項３】
スペーサー本体に備えた係止杆部下端の鉤部をデッキプレートの谷部の傾斜側壁の下端部に形成されているリブのオーバーハング部に対し係止可能であることを特徴とする請求項１又は２に記載のスペーサー。
【請求項４】
スペーサー本体に備えた係止杆部下端の鉤部をデッキプレートの谷部の底部中央部に形成されているリブ又はジョイント部のオーバーハング部に対し係止可能であることを特徴とする請求項１又は２に記載のスペーサー。
【請求項５】
係止杆部がスペーサー本体に対し、該本体の中点を挟んでその両側に備えられていることを特徴とする請求項１〜４のいずれかに記載のスペーサー。
【発明の詳細な説明】
【０００１】
【発明の属する技術分野】
本発明は、合成スラブ谷部配筋用バー型スペーサーに関する。
【０００２】
【従来の技術】
デッキプレートにコンクリートを打設して複合スラブを構築する際、デッキプレートの谷部には、通常耐火補強等を目的として付加的に鉄筋が配筋される。特に、単純支持合成スラブ〔耐火１時間  耐火（通）Ｆ１００２又は耐火２時間  耐火（通）Ｆ２００２、合成スラブ工業会規格  平成８年１月施行〕に於いては、付加的鉄筋として耐火補強筋を配筋することが義務づけられている
従来、デッキプレートの谷部に配筋される鉄筋を支持するためのスペーサーとして、図１６に概略的に示すように、一本の線材ａの途中にデッキプレートＡ（図１７参照）の谷部Ｂと一致する間隔で複数の鉄筋受架部ｂを屈曲形成すると共にその両端部にデッキプレートＡの山部Ｃの肩部に対する係止部ｃ、ｃを屈曲形成するバー型構成のものが提案されている。
【０００３】
【発明が解決しようとする課題】
上記従来構造のスペーサーはバー型であり、谷部の複数本（条）例えば５本（条）程度を一組として設置できるので、１本の谷部に対し１個のスペーサーを設置する場合に比べ遙かに効率的に設置作業を行うことができるが、デッキプレートＡ上に設置した状態では、両端部の係止部ｃ、ｃに於いて山部Ｃの肩部に単に係止しているに過ぎないので、コンクリートの打設時に受ける打設圧や浮力により設置位置よりずれ動いたり浮き上がったりする恐れがあり、設置状態での安定性に欠ける問題点があった。
【０００４】
この場合、例えば、実開平１−１５０８２２号公報に見られるようにスペーサーをデッキプレートの谷部内に嵌合係止可能な構成にすれば、設置状態での安定性を確保することが出来るが、この嵌合係止タイプではスペーサーを１個ずつ谷部内に嵌合係止しなければならないので、複数本の谷部を一組として設置可能なバー型に比べると設置作業に手数がかかり、設置作業が非効率的になるという問題点があった。
【０００５】
また従来のバー型スペーサーに於いては、配筋後に、資材の運搬等に従事する作業者が谷部に於いて鉄筋を踏み付けたときにスペーサーがこの踏み付け荷重に耐えきれずに折れ曲がり、図１７に一点鎖線で示すように、係止部ｃがデッキプレートより上方へ突出し作業者の足を引っかける原因になり、大変危険であった。。
【０００６】
本発明の１つの目的は、作業性並びに設置状態での安定性の両面を満足できるこの種スペーサーを提供するにある。
【０００７】
本発明の他の１つの目的は、作業の安全性に優れるこの種スペーサーを提供するにある。
【０００８】
【課題を解決するための手段】
本発明は、中間部にデッキプレートの谷部に相当する間隔で並列する複数個の鉄筋受架部を備えていて、デッキプレート上に谷部と直交する方向に設置して使用する合成スラブ谷部配筋用バー型スペーサーに於いて、スペーサー本体は、下方へ延出する少なくとも１本の係止杆部を備え、該係止杆部の下端の鉤部は、デッキプレートの谷部の底部又はその近傍に長手方向に延長するように形成されているリブ又はジョイント部のオーバーハング部に対し鉛直方向からの押し込みで保有弾性に抗し強制的に係止可能であり、両端部にデッキプレートの山部に対する係止部を備え、該係止部のフリー端側に、鉄筋受架部の下端と同レベルの位置で谷部の幅の１／２〜１の範囲の長さで外方へ延出する水平張り出し部を備えていることを特徴とする合成スラブ谷部配筋用スペーサー係る。
【０００９】
更に本発明は、両端部にデッキプレートの山部に対する係止部をまた中間部にデッキプレートの谷部に相当する間隔で並列する複数個の鉄筋受架部をそれぞれ備えていて、デッキプレート上に谷部と直交する方向に設置して使用する合成スラブ谷部配筋用バー型スペーサーに於いて、スペーサー本体は、下方へ延出する少なくとも１本の係止杆部を備え、該係止杆部の下端の鉤部は、デッキプレートの谷部の底部又はその近傍に長手方向に延長するように形成されているリブ又はジョイント部のオーバーハング部に対し鉛直方向からの押し込みで保有弾性に抗し強制的に係止可能であり、前記係止部のフリー端側に、鉄筋受架部の下端と同レベルの位置で谷部の幅の１／２〜１の範囲の長さで外方へ延出する水平張り出し部を備えていることを特徴とする合成スラブ谷部配筋用スペーサーに係る。
【００１１】
【発明の実施の形態】
以下に本発明の一実施形態を添付図面に基づき説明すると次の通りである。
【００１２】
図１は、谷部Ｂ1の左右の傾斜側壁Ｂ11の下端部に外側方押し出しのリブＤ1を備え、該リブＤ1にオーバーハング部Ｅ1を有するデッキプレートＡ1（図２〜４参照）に適用されるタイプの本発明スペーサーの一実施形態を示している。
【００１３】
本実施形態に於いて、スペーサー本体１は先に述べた従来品と同様に両端部に上記デッキプレートＡ1の山部Ｃ1に係止する係止部２、２をまた中間部に複数個例えば５個の鉄筋受架部３1〜３5をそれぞれ備え、該鉄筋受架部３1〜３5はデッキプレートＡ1の谷部Ｂ1のピッチに相当する間隔で並列している。
【００１４】
上記構成のスペーサー本体１は谷部Ｂ1の５本を１組として適用され、係止部２、２を５本１組の谷部Ｂ1…の両端の山部Ｃ1、Ｃ1の肩部に係止したとき、該山部Ｃ1、Ｃ1間の５本の谷部Ｂ1の幅方向の中央部に鉄筋受架部３1〜３5をそれぞれ配置できるようになっている。
【００１５】
スペーサー本体１は金属線材例えば鉄線材から構成され、係止部２、２及び鉄筋受架部３1〜３5は屈曲により下向きに形成されている。
【００１６】
スペーサー本体１を上記デッキプレートＡ1上に設置した状態で上記リブＤ1のオーバーハング部Ｅ1に係止固定するために、該スペーサー本体１の中点Ｏ（図２参照）を挟んでその両側、図示の実施形態では、左から数えて第１番目と第５番目の鉄筋受架部３1、３5の中点Ｏ側の近傍に左右一対の係止杆部４、４が備えられている。
【００１７】
係止杆部４、４は金属例えば鉄製であって図１に示すように例えば正面山形形状を呈し、頂部の折り返し部４ａ、４ａの内端側に於いてスペーサー本体１の上端に溶接手段を適用して固着されている。この固着状態に於いて係止杆部４、４はスペーサー本体１より下方へ垂直に延出し、有効延出長さＬ（図２参照）は谷部Ｂ1の深さに略々等しい。
【００１８】
係止杆部４、４は図２に示すように左から第１番目と第５番目の谷部Ｂ1、Ｂ1の傾斜側壁のうち、中点Ｏ側の傾斜側壁Ｂ11下端部のリブＤ1と左右位置が略々一致し、下端には、中点Ｏに向け折曲された鉤部５、５が形成されている。
【００１９】
図２〜４に設置手順が工程順に示され、図２に示すように５本一組の谷部Ｂ1とスペーサー本体１とを左右に位置合わせした後、図３に示すようにスペーサー本体１をデッキプレートＡ1上に置くと、係止杆部４、４の下端の鉤部５、５はその下方の谷部Ｂ1、Ｂ1の傾斜側壁Ｂ11の途中に当止する。この図３に示す状態でスペーサー本体１の係止杆部４、４の部分を強く押し下げると、この押し下げにつれ係止杆部４、４は傾斜側壁Ｂ11の傾斜に案内されながら保有弾性に抗し中点Ｏから離れる方向に撓み変形しつつ下動して行き、図４に示すように最終的にその下端の鉤部５、５は傾斜側壁Ｂ11下端部のリブＤ1のオーバーハング部Ｅ1に係止し、この係止により、スペーサー本体１はデッキプレートＡ1に対し上下方向にしっかりと固定される。
【００２０】
また図示の実施形態では、係止杆部４、４の鉤部５、５はリブＤ1、Ｄ1のオーバーハング部Ｅ1、Ｅ1に対し相反する方向から係止しているので、左右方向の動きに対しても拘束力を発揮し、左右方向に対しては係止部２、２との２重の拘束が可能になる。
【００２１】
また、係止杆部４、４は中点Ｏから等距離隔てた位置で係止拘束を行うので、スペーサー本体１を両側部に於いてバランス良く係止固定できる。
【００２２】
図５はスペーサー本体１、１同士の接続部分の状況を示し、この接続部分では、スペーサー本体１、１の両端部は１山分ダブルことになる。
【００２３】
この接続部分に於いては、係止部２からの張り出し部６は同じ谷部Ｂ1内に配筋されている鉄筋Ｔの下端側近傍に位置し、該鉄筋Ｔにより上方への折曲が防止されるので、図１７に示すようなデッキプレート上への折曲突出は生ずることがなくなり、作業の安全性を確立できる。
【００２４】
図１の実施形態では鉄筋受架部を５個形成した場合を示したが、その成形個数は複数個である限り特に制限されない。成形個数があまり多くなりすぎると、スペーサー本体１が長くなりすぎ、取り扱いに不便となるので、通常は３〜７個程度の範囲から適宜選択される。
【００２５】
図６は本発明の第２の実施形態を示し、本実施形態では、係止杆部４１、４１が左から第２番目と第４番目の鉄筋受架部３2、３4の中点Ｏ（図７参照）側の近傍に中点Ｏから離れる方向（外方向）に傾斜して備えられている以外は第１の実施形態のものと、実質的に異なるところがない。係止杆部４１、４１の有効長さＬ2（図７参照）は谷部Ｂ2の深さに略々等しい。
【００２６】
本実施形態のスペーサーは、図７〜９に示すように、谷部Ｂ2の底部中央に逆台形状にして両側部にオーバーハング部Ｅ2、Ｅ2を有するリブＤ2、Ｄ2を備えたデッキプレートＡ2に適用される。
【００２７】
上記デッキプレートＡ2は谷部Ｂ2の底部に上記リブＤ2とジョイント部Ｆ2とを交互に備え、リブＤ2は５本一組の谷部Ｂ2のうち、左から第２番目と第４番目に備えられている。
【００２８】
第７〜９図に本実施形態のスペーサーの設置手順が工程順に示され、本実施形態に於いては、係止杆部４１、４１を図８に示す状態で押し下げにつれ傾斜に基づき撓み変形させることによりその下端の鉤部５１、５１をリブＤ2、Ｄ2の中点Ｏを基準に外側のオーバーハング部Ｅ2、Ｅ2に係止固定されることができる。
【００２９】
本実施形態に於いて、係止杆部４１、４１の取り付け位置及び傾斜方向は図１０に示すように中点Ｏを基準に図６の場合と逆にしてもよい。
【００３０】
また図１１に示すように、４本一組の谷部に適用できるようにするために鉄筋受架部を４個形成するようにしてもよいし、また図には示されていないが６個以上例えば７個程度まで増やすようにしてもよい。
【００３１】
図１２は本発明の第３の実施形態を示し、本実施形態に於いては、係止杆部４２、４２が図１２に於いて左方へ傾斜されている点及び該係止杆部４２、４２の下端の鉤部５２、５２が右方へ折曲形成されている点以外は第１実施形態のものと実質的に異なるところがない。係止杆部の４２、４２の有効延出長さＬ3（図１３参照）は谷部Ｂ3の深さに略々等しい。
本実施形態のスペーサーは図１３〜１５に示すように、谷部Ｂ3が底部中央に左側側部にオーバーハング部Ｅ3を有するジョイント部Ｆ3を備えたデッキプレートＡ3に対し適用される。該ジョイント部Ｆ3は、谷部Ｂ3に対し一つ置きに形成されている。
【００３２】
本実施形態に於いても、図１３〜１５に示すように第１及び第２実施形態のものと同じ手法で係止杆部４２、４２の下端の鉤部５２、５２をジョイント部Ｆ3のオーバーハング部Ｅ3に係止固定することが出来る。
【００３３】
尚、上記実施形態に於いては、係止杆部をスペーサー本体の中点の両側２箇所でデッキプレート側のリブ又はジョイント部のオーバーハング部に係止固定する形式のものについて述べたが、例えば中点又はその付近の１箇所で係止固定するような構成のものであってもよい。
【００３４】
【発明の効果】
本発明によれば、バー型であって例えば谷部の５本を一組として設置して行くことが出来、スペーサーの設置を作業効率良く行うことが出来ると共に、スペーサー側の係止杆部とデッキプレート側のオーバーハング部との係止によりスペーサーの浮き上がりを防止でき、設置時の作業性と設置後の安定性の両面を満足し得るスペーサーを提供できる。
【００３５】
更に、スペーサーの係止部に備えた水平張り出し部の働きでスペーサーの折れ曲がりひいては折れ曲がりによるデッキプレート上への突出の危険性を一掃でき、作業の安全性を確立できる。
【図面の簡単な説明】
【図１】本発明の第１の実施形態を示す斜視図である。
【図２】第１の実施形態の１使用状況を示す第１工程の説明図である。
【図３】同、第２工程の説明図である。
【図４】同、工程終了時の状況を示す説明図である。
【図５】同、スペーサー同士の接続部分の説明図である。
【図６】第２の実施形態を示す斜視図である。
【図７】第２の実施形態の１使用状況を示す打１工程の説明図である。
【図８】同、第２工程の説明図である。
【図９】同、工程終了時の状況を示す説明図である。
【図１０】第２の実施形態の変更例を示す斜視図である。
【図１１】同、更に他の変更例を示す斜視図である。
【図１２】第３の実施形態を示す斜視図である。
【図１３】第３の実施形態の１使用状況を示す第１工程の説明図である。
【図１４】同、第２工程の説明図である。
【図１５】同、工程終了時の状況を示す説明図である。
【図１６】従来品の説明図
【図１７】従来品に於いて、スペーサーの一端側が折曲によりデッキプレート上に突出した状況を示す説明図である。
【符号の説明】
１      スペーサー本体
２      係止部
３      鉄筋受架部
４      係止杆部
５      鉤部
６      水平張り出し部
【図１】
0003799457.tif 000002
【図２】
0003799457.tif 000003
【図３】
0003799457.tif 000004
【図４】
0003799457.tif 000005
【図５】
0003799457.tif 000006
【図６】
0003799457.tif 000007
【図７】
0003799457.tif 000008
【図８】
0003799457.tif 000009
【図９】
0003799457.tif 000010
【図１０】
0003799457.tif 000011
【図１１】
0003799457.tif 000012
【図１２】
0003799457.tif 000013
【図１３】
0003799457.tif 000014
【図１４】
0003799457.tif 000015
【図１５】
0003799457.tif 000016
【図１６】
0003799457.tif 000017
【図１７】
0003799457.tif 000018